(57)【要約】【課題】  小型化を図るとともに、記録ヘッドによるインクの転写中に記録媒体に対して衝撃が加わることにより生じる記録のずれを防止して良好な画像の記録を得る。【解決手段】  各記録ヘッド１２を、隣位する各記録ヘッド１２に対し、記録媒体２上に記録される画像６の長さ寸法の１／２の寸法の間隔をもって離れて位置するように設け、第３記録ヘッド１２ｃと第３プラテンローラ２０ｃとは、第１記録ヘッド１２ａによる画像６の記録が終了した後圧接し、第２記録ヘッド１２ｂと第２プラテンローラ２０ｂとは、第３記録ヘッド１２ｃによる画像６の記録が終了した後であって、記録媒体２が搬送方向と逆方向に搬送されて画像６の記録開始位置が第２記録ヘッド１２ｂに対向する位置に到達したとき圧接する。【選択図】      図１ 
2005335219.tif 000002
【特許請求の範囲】
【請求項１】
記録媒体の搬送経路に沿って設けられた複数の記録ヘッドと、前記各記録ヘッドに前記搬送経路を介して対向しかつ対向する前記記録ヘッドに対して相対的に接離可能に設けられたプラテンとを有するプリンタであって、
前記各記録ヘッドを、それぞれ隣位する記録ヘッドに対し、前記記録媒体上に記録される画像における前記記録媒体の搬送方向の長さ寸法より短い間隔をもって位置するように設けてなり、
隣位する前記各記録ヘッドのうち前記記録媒体の搬送方向における下流側に位置する記録ヘッドとこの記録ヘッドに対向する前記プラテンとは、隣位する前記各記録ヘッドのうち前記記録媒体の搬送方向における上流側の記録ヘッドによる前記画像の記録が終了した後であって、前記記録媒体が前記搬送方向と逆方向に搬送されて前記画像の記録開始位置が前記下流側の記録ヘッドに対向する位置に到達したとき圧接するように設けられていることを特徴とするプリンタ。
【請求項２】
少なくとも３つの前記記録ヘッドを有し、
前記各記録ヘッドを、それぞれ隣位する前記各記録ヘッドに対し、前記記録媒体上に記録される画像の搬送方向における長さ寸法の１／２の寸法の間隔をもって位置するように設け、
前記各記録ヘッドを、前記搬送方向の最上流側から順番に第１記録ヘッド、第２記録ヘッド、第３記録ヘッドとしてなり、
前記第３記録ヘッドとこの記録ヘッドに対向する前記プラテンとは、前記第１記録ヘッドにおいて前記画像の記録が終了した後であって、前記画像の記録開始位置が前記第３記録ヘッドに対向する位置に到達したとき圧接し、
前記第２記録ヘッドと前記プラテンとは、前記第３記録ヘッドにおいて前記画像の記録が終了した後であって、前記記録媒体が前記搬送方向と逆方向に搬送されて前記画像の記録開始位置が前記第２記録ヘッドに対向する位置に到達したとき圧接するように設けられていることを特徴とする請求項１に記載のプリンタ。
【請求項３】
少なくとも４つの前記記録ヘッドを有し、前記第３記録ヘッドの前記搬送方向における下流側に隣位する記録ヘッドを第４記録ヘッドとしてなり、
前記第４記録ヘッドと前記プラテンとは、前記第２記録ヘッドの記録が終了した後であって、前記画像の記録開始位置が前記第４記録ヘッドに対向する位置に到達したとき圧接するように設けられていることを特徴とする請求項２に記載のプリンタ。
【請求項４】
前記記録媒体に対し連続して記録を行うとき、前記第１記録ヘッドは、前記第３記録ヘッドの記録開始時であって前記画像の次に記録される第２画像の記録開始位置が前記第１記録ヘッドに対向する位置に到達したとき、前記搬送方向に搬送されている記録媒体に対し、次の画像の記録を開始するように設けられていることを特徴とする請求項２または請求項３に記載のプリンタ。
【発明の詳細な説明】
【技術分野】
【０００１】
本発明はプリンタに係り、特に記録媒体の搬送経路に沿って複数の記録ヘッドが設けられているプリンタに関する。
【背景技術】
【０００２】
従来より、それぞれ異なる色彩のインクが塗布された複数のインクリボンを用いて記録を行うプリンタにおいて、各インクリボンにそれぞれ対応して設けられた複数の記録ヘッドにより、前記各インクリボンのインクをそれぞれ記録媒体に転写することにより、記録媒体上に所望の画像の記録を行うプリンタが知られている。
【０００３】
このようなプリンタは、複数の色彩（本従来例においては、シアン（Ｃ）、マゼンタ（Ｍ）、イエロー（Ｙ）、ブラック（ＢＫ））のインクがそれぞれ塗布された複数のインクリボンと、前記各インクリボンの数に対応する複数の記録ヘッドとを有している。前記各記録ヘッドは、記録媒体の搬送経路に沿ってそれぞれ所定間隔をもって配置し、前記インクリボンを介して記録媒体に対向するように配置されており、記録媒体の搬送方向における最上流側から、第１記録ヘッド、第２記録ヘッド、第３記録ヘッド、第４記録ヘッドとされている。前記各記録ヘッドに対向する位置には、前記各インクリボンおよび記録媒体を介して、それぞれプラテンが設けられている。
【０００４】
前記プリンタにおいては、搬送している記録媒体の記録開始位置が第１記録ヘッドに対向する位置に到達すると、第１記録ヘッドと前記第１記録ヘッドに対向する第１プラテンとを圧接させ、すなわち第１記録ヘッドを前記第１記録ヘッドに対向する第１プラテン側にヘッドダウンさせ、または第１プラテンを第１記録ヘッド側にダウンさせる。そして、前記第１記録ヘッドと前記第１プラテンとを記録媒体およびインクリボンを介して圧接させることにより、前記第１記録ヘッドにより前記記録媒体に対して例えばＣのインクを転写させる。
【０００５】
続いて、前記記録開始位置が第２記録ヘッドに対向する位置に到達すると、第２記録ヘッドをヘッドダウンさせ、または前記第２記録ヘッドに対向する第２プラテンをダウンさせてる。そして、前記第２記録ヘッドと前記第２プラテンとを前記記録媒体および前記インクリボンを介して圧接させることにより、前記第２記録ヘッドによりＣのインク上からＭのインクを転写させる。
【０００６】
このように、前記記録媒体の搬送方向における上流側の記録ヘッドから順次ヘッドダウンさせ、または前記上流側のプラテンから順次ダウンさせて記録媒体にインクを転写させることにより、前記記録媒体上に複数のインクによって所望のカラー画像の記録を行っていた（例えば、特許文献１参照）。
【０００７】
しかし、前記プリンタにおいては、例えば第１記録ヘッドによる記録媒体への記録中に第２記録ヘッドとプラテンとを圧接させると、前記圧接動作による記録媒体への衝撃によって第１記録ヘッドの記録にずれが生じてしまうおそれがある。
【０００８】
このため、前述のような従来のプリンタにおいて前記各記録ヘッドは、記録媒体上に記録される画像における搬送方向の長さ寸法よりも長い寸法の間隔をもって離れて位置するように設けられており、第１記録ヘッドによる記録が終了した後、第２記録ヘッドをヘッドダウンさせて、前記第２記録ヘッドにより記録を行っていた。
【０００９】
このように、従来のプリンタにおいては、各記録ヘッド間の距離を前記記録媒体上に記録される画像の長さ寸法よりも長くなるように設定しなければならず、各記録ヘッド間の距離を狭めるのには限界があり、この結果、プリンタの小型化を図ることが困難であるという問題を有していた。
【００１０】
【特許文献１】特開２０００−２６３８６４号公報
【発明の開示】
【発明が解決しようとする課題】
【００１１】
本発明はこれらの点に鑑みてなされたものであり、小型化を図るとともに、記録ヘッドによる記録中に記録媒体に対して衝撃が加わることにより記録ずれが生じてしまうのを防止して良好な画像の記録を得ることができるプリンタを提供することを目的とする。
【課題を解決するための手段】
【００１２】
前記目的を達成するため、本発明に係るプリンタの特徴は、記録媒体の搬送経路に沿って設けられた複数の記録ヘッドと、前記各記録ヘッドに前記搬送経路を介して対向しかつ対向する前記記録ヘッドに対して相対的に接離可能に設けられたプラテンとを有するプリンタであって、前記各記録ヘッドを、それぞれ隣位する記録ヘッドに対し、前記記録媒体上に記録される画像における前記記録媒体の搬送方向の長さ寸法より短い間隔をもって位置するように設けられてなり、隣位する前記各記録ヘッドのうち前記記録媒体の搬送方向における下流側に位置する記録ヘッドとこの記録ヘッドに対向する前記プラテンとは、隣位する前記各記録ヘッドのうち前記記録媒体の搬送方向における上流側の記録ヘッドによる前記画像の記録が終了した後であって、前記記録媒体が前記搬送方向と逆方向に搬送されて前記画像の記録開始位置が前記下流側の記録ヘッドに対向する位置に到達したとき圧接するように設けられている点にある。
【００１３】
また、前記プリンタにおいては、少なくとも３つの前記記録ヘッドを有し、前記各記録ヘッドを、それぞれ隣位する前記各記録ヘッドに対し、前記プリンタにおいて記録を行う画像の搬送方向における長さ寸法の１／２の寸法の間隔をもって位置するように設け、前記各記録ヘッドを、前記搬送方向の最上流側から順番に第１記録ヘッド、第２記録ヘッド、第３記録ヘッドとしてなり、前記第３記録ヘッドとこの記録ヘッドに対向する前記プラテンとは、前記第１記録ヘッドにおいて前記画像の記録が終了した後であって、前記画像の記録開始位置が前記第３記録ヘッドに対向する位置に到達したとき圧接し、前記第２記録ヘッドと前記プラテンとは、前記第３記録ヘッドにおいて前記画像の記録が終了した後であって、前記記録媒体が前記搬送方向と逆方向に搬送されて前記画像の記録開始位置が前記第２記録ヘッドに対向する位置に到達したとき圧接するように設けられているとよい。
【００１４】
さらに、少なくとも４つの前記記録ヘッドを有し、前記第３記録ヘッドの前記搬送方向における下流側に隣位する記録ヘッドを第４記録ヘッドとしてなり、前記第４記録ヘッドと前記プラテンとは、前記第２記録ヘッドの記録が終了した後であって、前記画像の記録開始位置が前記第４記録ヘッドに対向する位置に到達したとき圧接するように設けられるようにしてもよい。
【００１５】
さらにまた、前記記録媒体に対し連続して記録を行うとき、前記第１記録ヘッドは、前記第３記録ヘッドの記録開始時であって前記画像の次に記録される第２画像の記録開始位置が前記第１記録ヘッドに対向する位置に到達したとき、前記搬送方向に搬送されている記録媒体に対し、次の画像の記録を開始するように設けられていてもよい。
【００１６】
この本発明に係るプリンタによれば、各記録ヘッドは、それぞれ隣位する記録ヘッドに対し、前記記録媒体上に記録される画像における前記記録媒体の搬送方向の長さ寸法より短い間隔をもって位置するように設けられており、かつ各記録ヘッドによる記録中に各記録ヘッドとプラテンとを圧接させないようになっているので、記録ヘッドによる画像の記録中に、前記記録媒体に対して衝撃が加わることを防止することができる。
【発明の効果】
【００１７】
以上述べたように、本発明に係るプリンタによれば、従来と比較して各記録ヘッドの間隙寸法を狭めることができるので、プリンタの小型化を図ることができるとともに、記録ヘッドによる画像の記録中に記録媒体に衝撃が加わることを防止することにより、記録ずれのない良好な画像の記録を得ることができる。
【００１８】
また、連続して複数の画像のデータが入力されている場合には、第３記録ヘッドによる画像の記録中に第１記録ヘッドにより次画像の記録を行うようにすることにより、長尺の記録媒体上において各画像の間をほとんど開けずに連続して記録することができるので、記録媒体の無駄を省略することができる。
【発明を実施するための最良の形態】
【００１９】
以下、本発明に係るプリンタの一実施形態を図１および図２を参照して説明する。
【００２０】
ここで、本実施形態においては、長尺の記録媒体に対し４×６インチサイズの画像の記録を行うプリンタを用いて説明する。
【００２１】
図１は、本実施形態に係るプリンタを示す概念図であり、図２は、図１のプリンタを用いて画像の記録を行う工程を示す概念図である。
【００２２】
図１に示すように、前記プリンタ１は、長尺の記録媒体２が巻回された給紙ロール３を有している。
【００２３】
前記記録媒体２は、複数のガイドローラ５に案内されながら、所定の搬送経路を搬送されるようになっており、前記記録媒体２上には、図２に示すように、記録媒体２の搬送方向に長さ寸法４インチ、前記搬送方向と直交する方向に幅寸法６インチの画像６の記録が行われるようになっている。
【００２４】
また、前記プリンタ１は、それぞれ異なる色彩のインク７が塗布された複数のインクリボン８を有している。各インクリボン８は、それぞれ一対のインクリボンロール１０に巻回されており、前記記録媒体２の搬送経路に沿って所定の間隔をもって位置し、リボンガイドローラ１１に案内されながら、それぞれインク７の塗布面が記録媒体２に対向して搬送されるように配設されている。
【００２５】
本実施形態においては、前記搬送方向の最上流側から順番に、Ｃのインクリボン８Ｃ、Ｙのインクリボン８Ｙ、Ｍのインクリボン８Ｍ、ＢＫのインク７ＢＫリボンの４つのインクリボン８が配置されている。
【００２６】
さらに、前記プリンタ１は、前記各インクリボン８の数に対応する４つの記録ヘッド１２を有しており、各記録ヘッド１２は、前記搬送経路に沿って所定の間隙をもって位置するように配置されている。
【００２７】
各記録ヘッド１２は、記録媒体２の幅寸法（本実施形態においては６インチ）に対応する長さによって形成されており、各記録ヘッド１２における各インクリボン８に対向する位置には、記録媒体２の幅寸法に対応するような複数の発熱素子１３がライン状に並列配置されている。
【００２８】
また、各記録ヘッド１２の間隙は、各記録ヘッド１２の発熱素子１３と、隣位する記録ヘッド１２の発熱素子１３との間隙寸法が、プリンタ１において記録媒体２上に記録される画像６の長さ寸法よりも短く設定され、好ましくは前記長さ寸法の１／２となるようにそれぞれ設定されている。本実施形態においては、各記録ヘッド１２の発熱素子１３と、隣位する記録ヘッド１２の発熱素子１３との間隙寸法は、２インチとされている。
【００２９】
そして、各記録ヘッド１２は、記録媒体２の搬送方向における最上流側から順番に、Ｃのインクリボン８Ｃに対向する第１記録ヘッド１２ａ、Ｙのインクリボン８Ｙに対向する第２記録ヘッド１２ｂ、Ｍのインクリボン８Ｍに対向する第３記録ヘッド１２ｃ、ＢＫのインク７ＢＫリボンに対向する第４記録ヘッド１２ｄとされている。
【００３０】
各記録ヘッド１２は、プリンタ１に入力された記録データに基づき所望の発熱素子１３を発熱させてインクリボン８のインク７を記録媒体２上に転写するようになっているとともに、第１記録ヘッド１２ａは、Ｃのインク７Ｃを記録媒体２上における画像６の記録開始位置の近傍の所定部分に転写して、先頭マーク１５を記録するようになっている。
【００３１】
各記録ヘッド１２の近傍であって搬送経路における各記録ヘッド１２側には、記録媒体２上に記録された先頭マーク１５を検出するための図示しないセンサが設けられている。
【００３２】
各インクリボン８および記録媒体２を介して各記録ヘッド１２に対向する位置には、記録媒体２および各記録ヘッド１２の幅寸法に対応する幅寸法のプラテンローラ２０がそれぞれ設けられている。各プラテンローラ２０は、前記搬送方向の上流側から順番に、第１記録ヘッド１２ａに対向する第１プラテンローラ２０ａ、第２記録ヘッド１２ｂに対向する第２プラテンローラ２０ｂ、第３記録ヘッド１２ｃに対向する第３プラテンローラ２０ｃ、第４記録ヘッド１２ｄに対向する第４プラテンローラ２０ｄとされている。
【００３３】
各プラテンローラ２０は、それぞれ図示しないクランクに接続されており、前記クランクにより各記録ヘッド１２から離れるアップ動作、および記録ヘッド１２に圧接するダウン動作を行うようになっている。
【００３４】
記録媒体２の搬送経路の近傍であって各記録ヘッド１２よりも前記搬送方向の下流側には、切断刃２２が設けられており、切断刃２２は、記録が終了した長尺の記録媒体２を所定の長さ寸法に切断するようになっている。
【００３５】
続いて、本実施形態の作用について説明する。
【００３６】
プリンタ１に所望の文字や図形等の画像６の記録データが入力されると、まず、プリンタ１は、図２（ａ）に示すように第１プラテンローラ２０ａをダウンさせて第１記録ヘッド１２ａと第１プラテンローラ２０ａとを記録媒体２およびＣのインクリボン８Ｃを介して圧接させる。そして、第１記録ヘッド１２ａの所定の発熱素子１３を発熱させて記録媒体２上の所定部分にＣのインク７Ｃを転写することにより、先頭マーク１５を記録する。
【００３７】
続いて、記録媒体２およびＣのインクリボン８Ｃを搬送させながら、前記記録データに基づいて第１記録ヘッド１２ａにより、記録媒体２上にＣのインク７Ｃを転写する。ここで、第１記録ヘッド１２ａによる画像６の記録中に、第２記録ヘッド１２ｂの近傍の第２センサが前記画像６の先頭マーク１５を検出しても、第２プラテンローラ２０ｂをダウンさせずそのまま第１記録ヘッド１２ａによりＣのインク７Ｃのみを転写する。
【００３８】
次に、第１記録ヘッド１２ａによる前記画像６の記録が終了し、前記画像６の先頭マーク１５を第３記録ヘッド１２ｃの近傍の第３センサにより検出すると、プリンタ１は、図２（ｂ）に示すように第３プラテンローラ２０ｃをダウンさせて第３記録ヘッド１２ｃと第３プラテンローラ２０ｃとを記録媒体２およびＭのインクリボン８Ｍを介して圧接させる。そして、前記記録データに基づいて第３記録ヘッド１２ｃにより記録媒体２におけるＣのインク７Ｃ上からＭのインク７Ｍを転写する。ここで、第３記録ヘッド１２ｃによる前記画像６の記録中に、第４記録ヘッド１２ｄの近傍の第４センサが前記画像６の先頭マーク１５を検出しても、第４プラテンローラ２０ｄをダウンさせず、そのまま第３記録ヘッド１２ｃによりＹのインク７Ｙを転写する。
【００３９】
また、第３記録ヘッド１２ｃによって現在記録が行われている第１画像６ａの次の第２画像６ｂの記録データがプリンタ１に入力されている場合、プリンタ１は、第３記録ヘッド１２ｃによる第１画像６ａの記録中に、第１記録ヘッド１２ａにより第２画像６ｂの先頭マーク１５の記録を行った後、第２画像６ｂの記録データに基づいてＣのインク７Ｃを記録媒体２上に転写する。ここで、第２センサが第２画像６ｂの先頭マーク１５を検出しても、第２プラテンローラ２０ｂをダウンさせずに、第１記録ヘッド１２ａにより第２画像６ｂの記録を行い、また第３記録ヘッド１２ｃにより第１画像６ａの記録を行う。
【００４０】
第３記録ヘッド１２ｃによる第１画像６ａの記録が終了し、第１記録ヘッド１２ａによる第２画像６ｂの記録が終了すると、プリンタ１は、記録媒体２を前記搬送方向と逆方向に搬送させる。
【００４１】
そして、第２センサにより第１画像６ａの先頭マーク１５を検出すると、図２（ｃ）に示すように第２プラテンローラ２０ｂをダウンさせて第２記録ヘッド１２ｂと第２プラテンローラ２０ｂとを記録媒体２およびＹのインクリボン８Ｙを介して圧接させる。そして、記録媒体２を搬送方向に搬送させながら、第１画像６ａの記録データに基づいて第２記録ヘッド１２ｂにより記録媒体２におけるＭのインク７Ｍの上からＹのインク７Ｙを転写する。このとき、第３センサにより第１画像６ａの先端の先頭マーク１５を検出しても、第３記録ヘッド１２ｃにより第１画像６ａの記録は行わない。
【００４２】
続いて、第２記録ヘッド１２ｂによる第１画像６ａの記録が終了し、第４センサにより第１画像６ａの先頭マーク１５を検出すると、図２（ｄ）に示すように、第４プラテンローラ２０ｄをダウンさせて第４記録ヘッド１２ｄと第４プラテンローラ２０ｄとを記録媒体２およびＢＫのインク７ＢＫリボンを介して圧接させる。そして、第１画像６ａの記録データに基づいて第４記録ヘッド１２ｄにより記録媒体２におけるＹのインク７Ｙの上からＢＫのインク７ＢＫを転写する。これにより、第１画像６ａの記録を完成させる。
【００４３】
ここで、第４記録ヘッド１２ｄによる第１画像６ａの記録中に、第２センサおよび第３センサにより第２画像６ｂの先頭マーク１５が検出されても、第２記録ヘッド１２ｂおよび第３記録ヘッド１２ｃによる第２画像６ｂの記録は行わない。
【００４４】
そして、第１画像６ａの後端部が切断刃２２に対向する位置に到達すると、切断刃２２によって長尺の記録媒体２を４インチの長さ寸法に切断する。
【００４５】
一方、第４記録ヘッド１２ｄによる第１画像６ａの記録が終了すると、続いてプリンタ１は、記録媒体２を逆方向に搬送させる。
【００４６】
そして、第３センサにより第２画像６ｂの先頭マーク１５を検出すると、記録媒体２を搬送方向に搬送させて、第２画像６ｂの記録データに基づきＣのインク７Ｃ上にＭのインク７Ｍを転写する。ここで、プリンタ１に第２画像６ｂの次の第３画像（図示せず）の記録データが入力されている場合、第１記録ヘッド１２ａにより第３画像の先頭マーク１５の記録を行った後、第３画像の記録データに基づいてＣのインク７Ｃを記録媒体２上に転写する。また、第２センサにより第３画像の先頭マーク１５を検出し、また第４センサによって第２画像６ｂの先頭マーク１５を検出しても、第２記録ヘッド１２ｂによる第３画像の記録、および第４記録ヘッド１２ｄによる第２画像６ｂの記録は行わない。
【００４７】
また、第３記録ヘッド１２ｃによる第２画像６ｂの記録が終了し、第１記録ヘッド１２ａによる第３画像の記録が終了すると、プリンタ１は記録媒体２を逆方向に搬送させ、第２センサにより第２画像６ｂの先頭マーク１５を検出すると、記録媒体２を搬送方向に搬送させながら第２記録ヘッド１２ｂにより第２画像６ｂの記録データに基づいてＭのインク７Ｍ上にＹのインク７Ｙを転写する。
【００４８】
さらに、第４センサにより第２画像６ｂの先頭マーク１５を検出すると、第４記録ヘッド１２ｄにより第２画像６ｂの記録データに基づいてＹのインク７Ｙ上にＢＫのインク７ＢＫを転写し、これにより第２画像６ｂの記録を完成させる。なお、第４記録ヘッド１２ｄによる第２画像６ｂの記録中に、第２センサおよび第３センサにより第３画像の先頭マーク１５が検出されても、第２記録ヘッド１２ｂおよび第３記録ヘッド１２ｃによる第３画像の記録は行わない。
【００４９】
本実施形態によれば、各記録ヘッド１２は記録媒体２上に記録を行う画像６の長さ寸法の１／２の寸法の間隔をもって離れて位置するように設けられており、かつ各記録ヘッド１２によるインク７の転写中に各記録ヘッド１２とプラテンローラ２０とを圧接させないようになっている。このため、記録ヘッド１２による画像６の記録中に、記録ヘッドとプラテンローラ２０との圧接動作によって記録媒体２に衝撃が加わってしまうことを防止することができる。
【００５０】
したがって、従来と比較して各記録ヘッド１２の間隙寸法を狭めることができるので、プリンタ１の小型化を図ることができるとともに、記録ヘッド１２による画像６の記録中に、記録ヘッド１２とプラテンローラ２０との圧接動作によって記録媒体２に対し衝撃が加わることを防止することにより、記録ずれのない良好な画像６の記録を得ることができる。
【００５１】
また、連続して複数の画像６のデータが入力されている場合には、第３記録ヘッド１２ｃによる画像６の記録中に第１記録ヘッド１２ａにより次画像６の記録を行うので、長尺の記録媒体２上において第１画像６ａ、第２画像６ｂ、第３画像を連続して記録することができる。このため、記録媒体２の無駄を省略することができる。
【００５２】
なお、本発明は前記実施形態に限定されるものではなく、必要に応じて種々変更することが可能である。
【００５３】
例えば、各インクリボン８のインク７の数や色彩、配置順等は、本実施形態に限定されるものではなく、例えば、本実施形態におけるＢＫのインク７ＢＫのインクリボン８ＢＫの代わりにオーバーコート用のインク７のインクリボン８を用いてもよい。
【００５４】
また、前記プリンタ１においては、各記録ヘッド１２にそれぞれ対向するように複数のプラテンローラ２０が設けられているが、これに限定されず、各記録ヘッド１２に対向するような１つのプラテンを有するものであってもよい。さらに、各プラテンローラ２０が各記録ヘッド１２方向に移動して各プラテンローラ２０と各記録ヘッド１２とが圧接するように設けられているが、これに限定されず、各記録ヘッド１２が各プラテンローラ２０に対して圧接するようにしてもよい。
【００５５】
さらにまた、先頭マーク１５をプリンタ１を用いて記録するようになっているが、これに限定されず、記録媒体２の所定の位置に先頭マーク１５が記録されているものを用いてもよく、また記録媒体２は長尺のものでなく、長さ寸法４インチ、幅寸法６インチの記録媒体を用いてもよい。
【図面の簡単な説明】
【００５６】
【図１】本発明に係るプリンタの一実施形態を示す概念図
【図２】（ａ）は、第１プラテンローラをダウンさせて第１記録ヘッドにより記録を行う工程を示す概念図、（ｂ）は、第３プラテンローラをダウンさせて第３記録ヘッドおよび第１記録ヘッドにより記録を行う工程を示す概念図、（ｃ）は、第２プラテンローラをダウンさせて第２記録ヘッドにより記録を行う工程を示す概念図、（ｄ）は、第４プラテンローラをダウンさせて第４記録ヘッドにより記録を行う工程を示す概念図
【符号の説明】
【００５７】
１  プリンタ
２  記録媒体
６  画像
７Ｃ  Ｃのインク
７Ｙ  Ｙのインク
７Ｍ  Ｍのインク
７ＢＫ  ＢＫのインク
８Ｃ  Ｃのインクリボン
８Ｙ  Ｙのインクリボン
８Ｍ  Ｍのインクリボン
８ＢＫ  ＢＫのインクリボン
１２ａ  第１記録ヘッド
１２ｂ  第２記録ヘッド
１２ｃ  第３記録ヘッド
１２ｄ  第４記録ヘッド
１５  先頭マーク
２０ａ  第１プラテンローラ
２０ｂ  第２プラテンローラ
２０ｃ  第３プラテンローラ
２０ｄ  第４プラテンローラ
【図１】
2005335219.tif 000003
【図２】
2005335219.tif 000004